(57)【特許請求の範囲】
【請求項１】
第１の信号線からの直接起動信号によって消火ガスを噴射し、または、ガス圧起動配管からのガス圧によって消火ガスを噴射するとともに、前記消火ガスの噴射後に噴射確認信号を第３の信号線に送出する消火装置と、
この消火装置と前記ガス圧起動配管により連結され、第２の信号線からのバックアップ起動信号によって、前記ガス圧起動配管に起動ガスを噴射するガス圧起動装置と、
前記消火装置と前記第１及び第３の信号線により接続され、この第１の信号線を通して前記消火装置に前記直接起動信号を送出し、さらに、前記ガス圧起動装置と前記第２の信号線にて接続され、前記直接起動信号を送出した後に前記消火装置から前記第３の信号線を通して前記噴射確認信号を受信しない場合は、前記第２の信号線を通して前記ガス圧起動装置に対し前記バックアップ起動信号を送出する制御盤と
を具備することを特徴とする消火システム。
【請求項２】
第１の信号線からのバックアップ起動信号によって消火ガスを噴射し、または、ガス圧起動配管からのガス圧によって消火ガスを噴射するとともに、前記消火ガスの噴射後に噴射確認信号を第３の信号線に送出する消火装置と、
この消火装置と前記ガス圧起動配管により連結され、第２の信号線からの間接起動信号によって、前記ガス圧起動配管に起動ガスを噴射するガス圧起動装置と、
前記ガス圧起動装置と前記第２の信号線にて接続され、この第２の信号線を通して前記ガス圧起動装置に前記間接起動信号を送出し、さらに、前記消火装置と前記第１及び第３の信号線にて接続され、前記間接起動信号を送出した後に前記第３の信号線を通して前記噴射確認信号を受信しない場合は、前記消火装置に対し前記第１の信号線を通して前記バックアップ起動信号を送出する制御盤と
を具備することを特徴とする消火システム。
【発明の詳細な説明】
【０００１】
【発明の属する技術分野】
本発明は、消火装置を遠隔の場所に配置された制御盤から起動させる消火システムに関する。
【０００２】
【従来の技術】
従来、遠隔起動の消火システムには、制御盤と消火装置との間を信号線にて接続し、制御盤からの起動信号により消火装置の消火ボンベの弁を開放し、消火ガスを噴射させる、いわゆる電気起動方式がある。また、制御盤と消火装置との間をガス圧起動配管により配管して、消火装置を起動させるときに、制御盤からガス圧起動配管に起動ガスを噴射し、この起動ガスの圧力によって消火装置の消火ボンベの弁を開放させて、消火ガスを噴射させる、いわゆるガス圧起動方式がある。
【０００３】
電気起動方式は、制御盤から信号線に電圧を印加又は電流を流して、信号線にかかる電圧又は電流の状態を検出することで、信号線の断線の有無を常時監視することが可能となる利点がある。また、ガス圧起動配管ではなく信号線を用いるので設置工事が簡単であるという利点がある。反面、電気起動方式は、火災が発生すると、火災の炎等により高温に曝されることとなるので、信号線を断熱部材にて保護する必要がある。また、火災発生時に起こりがちな建物倒壊によって配線が切断されにくく構成する必要がある。
【０００４】
ガス圧起動方式は、信号線に比較して物理的に破損しにくいガス圧起動配管を通して消火装置のガス噴射を起動させるので、火災発生時の熱による影響を考慮する必要が少ないという利点がある。反面、ガス圧起動方式は、ガス圧起動配管の状態確認をする際には、定期保守時に人手により実際に起動ガス圧をガス圧起動配管にかけて点検するしかなく、常時監視をすることができないという欠点を有している。
【０００５】
【発明が解決しようとする課題】
従来の消火システムでは、起動方式として、電気起動方式又はガス圧起動方式のいずれか一方のみを採用していた。このため、電気起動方式では信号線の断線や通信障害などにより、ガス圧起動方式では配管の破損や起動ガスの不作動などにより、消火装置が起動しない可能性がある。このように制御盤から起動をかけても消火装置が起動しない場合は、制御盤より遠隔の場所にある消火装置まで人間が赴き、直接手動にて消火ボンベの弁を開放せざるを得なかった。
【０００６】
また、従来より、火災センサが火災を検出すると、制御盤から自動的に消火装置を起動させるいわゆる自動消火システムがある。この自動消火システムの場合、消火装置の起動時に人が側にいない場合があり、起動失敗時のバックアップができないという問題がある。
また、立体駐車場における自動消火システムのように、消火装置を消火対象である立体駐車場内に分散配設していると、火災の発生時に例え人間が側にいたとしても、人がバックアップのため消火装置の設置場所まで着けない場合も想定できる。この場合は、遠隔の場所から消火装置のバックアップ起動をかける必要がある。しかし、従来の消火システムは、遠隔起動を電気起動方式又はガス圧起動方式のいずれか１系統しか有していないため、自動起動の際に起動がかからなかった系統にて再度起動をかけても消火装置を起動できないので、消火装置が起動しない可能性があるという問題があった。
【０００７】
そこで、本発明は、一方の遠隔起動系統にて消火装置が不作動のときに、他方の遠隔起動系統にてバックアップ起動することができる消火システムを提供することを目的とする。
【０００８】
【課題を解決するための手段】
上記目的を達成するために、本発明は、消火システムに電気起動方式とガス圧起動方式の２系統を設ける。本発明によれば、物理的に異なった２系統の起動系を具備するので、一方の起動系が故障等により消火装置を遠隔起動できなくても、他方の起動系により消火装置を遠隔起動できる。
【０００９】
また、本発明は自動消火システムに適用することができる。この場合、電気起動方式とガス圧起動方式の一方をメインの起動系とし、他方をバックアップ起動系とする。
メインの起動系を電気起動方式とした場合、電気起動方式は、起動系の常時監視が可能であるので、信号線等の電気系の故障がない状態を維持することができる。火災発生の初期段階において予想を上回る高熱が発生して信号線の切断が発生して電気起動方式で起動できない場合には、高熱に強く、物理的に強いガス圧起動方式をもって消火装置の起動バックアップを実現する。
【００１０】
メインの起動系をガス圧起動方式とした場合、物理的に破損する可能性が低いガス圧起動方式にても消火装置が起動しなかったときは、別の起動系統である電気起動方式にてバックアップ起動させる。
これにより、メインの起動系で消火剤の放出に失敗した時に制御盤の側に人がいない場合でも、自動的に確実にバックアップ起動を行うことができる。
【００１１】
【発明の実施の形態】
本発明の消火システムを立体駐車場に適用した例について図を用いて説明をする。
図１は、消火システムの構成を示す。
消火システムの制御盤１が、立体駐車場の駐車設備制御盤２と接続して設置されている。立体駐車場内に、複数の火災センサ３、複数の消火装置４、１つのガス圧起動装置５が配置される。
【００１２】
火災センサ３は、火災発生による煙、熱等を検知すると、信号線６を通して、火災検知信号を制御盤１に送出する。
消火装置４は、消火剤等を貯蔵した貯蔵容器７をキャビネット８に収納して構成される。キャビネット８の外に消火ガスを放出する噴射ヘッド９が設けられ、弁１０を通して貯蔵容器７と連結される。弁１０を開放する弁開放器１１が設けられる。弁開放器１１は、ガス圧起動用配管１２から起動ガスが供給され、または、起動ユニット１３から起動信号が入力されると、弁１０を開放する。弁１０が開放されると、噴射ヘッド９から防護区域へ消火剤が噴射される。起動ユニット１３は、信号線１４を通して直接起動信号を受信すると、起動信号を弁開放器１１へ出力する。圧力スイッチ１５が貯蔵容器７に設けられ、消火剤が放出されて貯蔵容器７内の圧力が低下すると圧力スイッチ１５が動作をする。この動作により、噴射確認信号が信号線１６へ出力される。
【００１３】
ガス圧起動装置５は、起動ガスを貯蔵した起動容器１７を有し、ガス圧起動用配管１２により消火装置４の弁開放器１１と接続される。起動容器１７は、信号線１８を通して間接起動信号を受信したとき、弁１９を開放して、ガス圧起動用配管１２へ起動ガスを噴射する。消火装置４の弁開放器１１とガス圧起動用配管１２の間には、消火装置４側からガス圧起動用配管１２へ消火ガスが逆流することを防止する不還弁２０が設けられる。
【００１４】
制御盤１は、ＣＰＵ、ＲＯＭ、ＲＡＭ等から構成される制御部２１を有する。制御部２１は、信号線６を介して複数の火災センサ３が接続される。信号線１４により消火装置４の起動ユニット１３と接続され、直接起動信号を送出する。信号線１８によりガス圧起動装置５と接続され、間接起動信号を送出する。信号線１６により消火装置４の圧力スイッチ１５と接続され、噴射確認信号を受信する。
【００１５】
制御盤１には、更に、手動で消火装置４を起動するための消火剤放出釦２３、消火システム、駐車設備等を復旧させるための復旧釦２４が設けられる。
以上の消火システムによれば、消火装置４の起動方式として、電気起動方式とガス圧起動方式の２系統が形成される。この２系統の起動方式は、一方がメインの起動方式となり、他方がバックアップ起動方式となる。つまり、電気起動方式がメインの起動方式であれば、ガス圧起動方式がバックアップ起動方式となり、ガス圧起動方式がメインの起動方式であれば、電気起動方式がバックアップ起動方式となる。
【００１６】
次に、図１の消火システムの動作を説明する。
火災センサ３が火災を検知して、検知信号を制御部２１に出力する。
制御部２１は、検知信号を受信すると、所定のアルゴリズムに従って、火災の発生の有無を判定する。
制御部２１は、火災センサ３からの検知信号を受信し、火災が実際に発生したと判定すると、それらの状況に応じた信号を出力し、駐車設備制御盤２により、立体駐車場の出入口扉を閉じ、駐車設備動力を停止させる。また、表示灯２５、スピーカ２６により、火災を検知したこと、出入口扉が閉められること、消火剤を放出すること等の表示、アナウンスを行う。さらに、警備センターへの通報等も行う。そして、制御部２１は、消火剤を放出するタイミングとなると、起動信号を出力する。
【００１７】
図２のフローチャートを用いて、制御部２１の起動信号出力時の動作を説明する。
制御部２１は、消火装置４により消火剤を放出させるべく、メインの起動方式の起動信号を出力する（ステップＳ１）。続いて、消火装置４から噴射確認信号を受信するのを待つ（ステップＳ２）。正常に消火剤が放出されれば、圧力スイッチ１５から噴射確認信号を受信する（ステップＳ２のＹ）ので、処理を終了する。
【００１８】
メインの起動方式に何らかの異常が発生して、消火剤の噴射がなかった場合は、圧力スイッチ１５から噴射確認信号を受信しないので、所定時間が経過しても噴射確認信号を受信しなければ（ステップＳ２のＮ）、バックアップ起動信号を出力して（ステップＳ３）、処理を終了する。また、処理を終了する前に、スピーカ２６にて報知しても良いし、警備センターへ噴射失敗の旨の通報をしてもよい。
【００１９】
以上本発明を自動消火システムに適用した実施形態について説明をしたが、本発明は、上記実施形態に限定されるものではない。例えば、メインの起動方式とバックアップ用起動方式のいずれか一方又は両方を手動操作により動作させるようにすることもできる。
【００２０】
【発明の効果】
本発明によれば、消火システムに電気起動系とガス圧起動系の２系統を設けたので、一方の起動系統にて消火装置が不作動のときに、他方の起動系統にてバックアップ起動することができる。これにより確実にバックアップ起動ができる。
【図面の簡単な説明】
【図１】本発明の消火システムの構成を示す図。
【図２】図１の制御部の動作を示すフローチャート。
【符号の説明】
１…制御盤
２…駐車設備制御盤
３…火災センサ
４…消火装置
５…ガス圧起動装置
６…信号線
７…貯蔵容器
８…キャビネット
９…噴射ヘッド
１０…弁
１１…弁開放器
１２…ガス圧起動用配管
１３…起動ユニット
１４…信号線
１５…圧力スイッチ
１６…信号線
１７…起動容器
１８…信号線
１９…弁
２０…不還弁
２１…制御部
２２…信号線
２３…消火剤放出釦
２４…復旧釦
２５…表示灯
２６…スピーカ
【図１】
0004046455.tif 000002
【図２】
0004046455.tif 000003